(57)【要約】【課題】リサイクル時に、濾材と濾材取付枠とを容易に分離できるエアクリーナ構造を提供する。【解決手段】エアクリーナ構造を構成するフィルタエレメント３は、上側取付枠７の上側挟持部７ａと下側取付枠８の下側挟持部８ａとの間に波板状の濾材１を挟持して、上側取付枠７の係合部７ｂと下側取付枠８の係合部８ｂとを係合して構成されているので、リサイクル時には、上側取付枠７と下側取付枠８との係合を解除するだけで、濾材１と濾材取付枠２とを容易に分離させることができる。【選択図】        図２
2004255306.tif 000002
【特許請求の範囲】
【請求項１】
波板状に形成された濾材と、この濾材の外周縁部を囲む濾材取付枠を有するフィルタエレメントと、第１ハウジングと第２ハウジングとに分割されるハウジングとを備え、前記第１ハウジングと前記第２ハウジングとの間に前記濾材取付枠を挟持して前記フィルタエレメントを保持するエアクリーナ構造において、
前記濾材取付枠には、前記濾材を対向して挟持するように波状に形成され、互いに係合する一対の濾材挟持部を備えたことを特徴とするエアクリーナ構造。
【請求項２】
前記濾材取付枠を前記一対の濾材挟持部の挟持面で２つに分割し、一方を前記第１ハウジングに一体に形成すると共に、他方を前記第２ハウジングに一体に形成し、前記第１ハウジングと前記第２ハウジングとの係合により前記濾材を挟持することを特徴とする請求項１に記載のエアクリーナ構造。
【発明の詳細な説明】
【０００１】
【発明の属する技術分野】
本発明は、エアクリーナ構造、特に、上下ハウジングに挟持され保持されるフィルタエレメントを改良したエアクリーナ構造に関するものである。
【０００２】
【従来の技術】
従来のエアクリーナ構造を図６及び図７に基いて説明する。
従来のエアクリーナ構造は、波板状に形成された濾材１とこの濾材１の外周縁部を囲む濾材取付枠５１とを有するフィルタエレメント５０と、第１ハウジング４と第２ハウジング５とに分割されるハウジング６とから構成されており、フィルタエレメント５０は、濾材取付枠５１の側壁全周から外方に突出するハウジング取付部５１ａを介して、第１ハウジング４と第２ハウジング５との間に挟持され保持される。
【０００３】
一般的に、図７に示すフィルタエレメント５０は、波板状の濾材１と、この濾材１の外周縁部を取り囲む濾材取付枠５１と共に射出成形にて形成されている。成形時の手順は、濾材１を図示しない型にセットし、型を閉じて濾材１と一体に、濾材取付枠５１を樹脂等で射出成形している。そこで、型を閉じた際、最低でも濾材取付枠５１周辺の濾材１に樹脂材が回らないように、この周辺部を型で押え込み圧力をかける必要があるため、濾材１の一部分又は全体が圧縮されて、濾材１の一部分又は全体の通気抵抗が上がる虞があった。
また、フィルタエレメント５０は、リサイクルする時には、異種材料である濾材１と濾材取付枠５１とを分離させる必要があり、その分離作業が困難であった。
【０００４】
さらに、特許文献１には、熱可塑性樹脂材よりなる不織布の濾材を金型に配設し、この金型内において濾材外周から間隔を置いたスペース内に、古紙配合熱可塑性樹脂材を加熱溶融して射出することにより濾材の外周縁に配設されるツバ部を有する濾材枠を濾材と一体的に成形したエアクリーナのフィルタエレメント製造方法が開示されている。
【０００５】
さらにまた、特許文献２には、複数の波状袋部よりなる濾過部と、この濾過部の外周縁に配設したツバ部とを有するフィルタにおいて、これらの波状袋部とツバ部との基材を同一材料で構成したフィルタが開示されている。
【０００６】
【特許文献１】
特開平１１−２２１４１７号公報
【特許文献２】
特開平８−２４５４６号公報
【０００７】
【発明が解決しようとする課題】
上述したように、エアクリーナを構成するフィルタエレメントは、濾材と濾材取付枠とで構成され、濾材と濾材取付枠は一体に射出成形で形成されている。しかし、このフィルタエレメントをリサイクルする場合には、異種材料である濾材と濾材取付枠とを別々に分離して廃棄する必要があり、これらが容易に分離できず分離作業が煩雑であった。
【０００８】
また、濾材取付枠を濾材と共に一体に射出成形する際に、濾材取付枠の周辺の濾材に樹脂材が回りこまないように、濾材を型で押えて圧力をかける必要があるため、型で押えた部分が、押える前の状態よりも圧縮されて通気抵抗が上がるという不具合が生じていた。
【０００９】
さらに、特許文献１の発明は、エアクリーナのフィルタエレメントの濾材又は濾材取付枠を古紙配合熱可塑性樹脂材で形成することにより、フィルタエレメント単体を焼却処理を可能とし、特許文献２の発明は、エアクリーナのフィルタエレメントを、濾材と、この濾材の外周縁を取り囲むツバ部とを同一基材で一体成形することにより構造を簡素化し製造コストを低減させるものであるが、いずれの発明も、材料の観点から廃棄手段の効率化、又は構造の簡素化を図ったものであるが、特別な材料や製法が必要になるという問題がある。
【００１０】
本発明は、かかる点に鑑みてなされたものであり、特別な材料や製法を用いることなくリサイクル時に、濾材と濾材取付枠とを容易に分離できるエアクリーナ構造を提供することを目的とする。
【００１１】
【課題を解決するための手段】
本発明は、上記課題を解決するための手段として、請求項１に記載した発明は、波板状に形成された濾材と、この濾材の外周縁部を囲む濾材取付枠を有するフィルタエレメントと、第１ハウジングと第２ハウジングとに分割されるハウジングとを備え、前記第１ハウジングと前記第２ハウジングとの間に前記濾材取付枠を挟持して前記フィルタエレメントを保持するエアクリーナ構造において、前記濾材取付枠には、前記濾材を対向して挟持するように波状に形成され、互いに係合する一対の濾材挟持部を備えたことを特徴とするものある。
このように構成することにより、リサイクル時には、一対の濾材挟持部の係合を解除することで、濾材を濾材取付枠から簡単に分離させることができる。また、濾材と濾材取付枠とを一体成形せず、濾材取付枠を樹脂成形した後に、濾材挟持部に濾材を挟持させるため、従来の問題であった一体成形時に濾材の一部が、型により圧縮されて通気抵抗が上がるという問題を解消できる。
【００１２】
請求項２に記載した発明は、請求項１に記載した発明において、前記濾材取付枠を前記一対の濾材挟持部の挟持面で２つに分割し、一方を前記第１ハウジングに一体に形成すると共に、他方を前記第２ハウジングに一体に形成し、前記第１ハウジングと前記第２ハウジングとの係合により前記濾材を挟持することを特徴とするものである。
このように構成することにより、部品点数を削減して、エアクリーナ構造を簡素化しコストを削減できると共に、リサイクル時には、第１ハウジングと第２ハウジングとの係合を解除するだけで、濾材を第１ハウジング及び第２ハウジングから容易に分離できる。
【００１３】
【発明の実施の形態】
以下、本発明の実施の形態に係るエアクリーナ構造を図１〜図５に基いて詳細に説明する。まず、本発明の第１の実施の形態に係るエアクリーナ構造を図１〜図３に基いて説明する。なお、本発明の実施の形態の説明の際、従来例と同一部材及び相当する部品は、同一の符号を使用して、その説明を適宜省略する。
本発明の第１の実施の形態に係るエアクリーナ構造は、図１及び図２に示すように、波板状の濾材１とこの濾材１の外周縁部を取り囲む濾材取付枠２とからなるフィルタエレメント３と、第１ハウジング４と第２ハウジング５とからなるハウジング６とから構成され、フィルタエレメント３は、その濾材取付枠２を第１ハウジング４と第２ハウジング５とにより挟持されように保持される。
【００１４】
濾材１は、波板状に一体に形成されている。この濾材１の外周縁部を取り囲むように濾材取付枠２を形成しており、この濾材取付枠２は、濾材１の上側周縁部を取り囲む上側取付枠７と、濾材１の下側周縁部を取り囲む下側取付枠８とから構成されている。
上側取付枠７は、濾材１の上側周縁部を取り囲むように略矩形状に形成されており、一対の側壁の下端には、波板状の濾材１の形状に対応した波形の上側挟持部７ａ（濾材挟持部）が形成されている。
また、下側取付枠８は、濾材１の下側周縁部を取り囲むように略矩形状に形成されており、一対の側壁の上端には、上側取付枠７の上側挟持部７ａと対向するように波形の下側挟持部８ａ（濾材挟持部）が形成されている。
そして、上側取付枠７の上側挟持部７ａと、下側取付枠８の下側挟持部８ａとの間に波板状の濾材１を挟持して保持する。
【００１５】
また、上側取付枠７の上側挟持部７ａを形成した側壁と隣接する一対の側壁には、下側取付枠８の下側挟持部８ａを形成した側壁に隣接する一対の側壁に形成した係合孔８ｂに係合する板状係合部７ｂが突設されており、この係合部７ｂの先端には係合爪７ｂ’が形成されている。
さらに、下側取付枠８の側壁全周から、第１ハウジング部４と第２ハウジング部５とに挟持される板状のハウジング取付部９が突設されている。
【００１６】
エアクリーナ構造のハウジング６を構成する第１ハウジング４及び第２ハウジング５のそれぞれは、フィルタエレメント３を挟持した状態で略箱状の中空部を形成するような形状に形成されている。
【００１７】
そして、図２及び図３に示すように、上側取付枠７の上側挟持部７ａと、下側取付枠８の下側挟持部８ａとにより濾材１を挟持すると共に、上側取付枠７に設けた板状係合部７ｂの係合爪７ｂ’を、下側取付枠８の係合孔８ｂに挿通し係合して、フィルタエレメント３が形成される。
【００１８】
さらに、このフィルタエレメント３をハウジング６に取付ける場合には、図１及び図２に示すように、その下側取付枠８に設けたハウジング取付部９を、第１ハウジング部４及び第２ハウジング部５により挟持するように保持して、第１ハウジング４と第２ハウジング５それぞれに設けた図示しない固定手段により第１ハウジング４と第２ハウジング５を一体に固定することにより、第１の実施の形態に係るエアクリーナ構造が形成される。
【００１９】
このように構成された本発明の第１の実施の形態に係るエアクリーナ構造によれば、特に、フィルタエレメント３が、上側取付枠７の上側挟持部７ａと下側取付枠８の下側挟持部８ａとの間に濾材１を挟持して、上側取付枠７と下側取付枠８とを着脱自在の係合手段（係合部７ｂと係合孔８ｂ）で係合して構成されているので、リサイクル時には、上側取付枠７の係合部７ｂと下側取付枠８の係合部８ｂとの係合を解除するだけで、濾材１を濾材取付枠２（上側取付枠７及び下側取付枠８）から容易に分離させることが可能となる。
【００２０】
次に、本発明の第２の実施の形態に係るエアクリーナ構造を図４に基いて、図２も参照しながら説明する。なお、この第２の実施の形態を説明する際、従来例及び第１の実施の形態と同一部品、及び相当する部品は、同一の符号を付けてその説明を適宜省略する。
本発明の第２の実施の形態に係るエアクリーナ構造は、図４に示すように、濾材１と、濾材１を挟持する上側挟持部７ａを有する第１ハウジング２０と、濾材１を挟持する下側挟持部８ａを有する第２ハウジング３０とから構成されている。
濾材１は、第１の実施の形態と同一であるため、その説明を省略する。
【００２１】
第１ハウジング２０は、下側を開口する略箱状であって、その下側の開口に、第１の実施の形態と同一で図２に示す上側取付枠７が一体に成形されている。この上側取付枠７は、図２に示すように、濾材１の上側周縁部を取り囲むように略矩形状に形成されており、一対の側壁の下端には、波形の上側挟持部７ａが形成されている。
【００２２】
第２ハウジング３０は、上側を開口する略箱状であって、その上側の開口に、第１の実施の形態と同一で図２に示す下側取付枠８が一体に成形されている。この下側取付枠８は、図２に示すように、濾材１を取り囲むように略矩形状に形成されており、一対の側壁の上端には、波形の下側挟持部８ａが形成されている。
【００２３】
そして、第１ハウジング２０に設けた上側挟持部７ａと、第２ハウジング３０に設けた下側挟持部８ａとの間に濾材１を挟持すると共に、第１ハウジング２０と第２ハウジング３０とを、第１ハウジング２０と第２ハウジング３０それぞれに設けた図示しない固定手段により一体に固定することにより、第２の実施の形態に係るエアクリーナ構造が形成される。
【００２４】
このように構成された第２の実施の形態に係るエアクリーナ構造によれば、第１ハウジング２０の上側挟持部７ａと、第２ハウジング３０の下側挟持部８ａとの間に濾材１を挟持し、これら第１ハウジング２０と第２ハウジング３０とを図示しない着脱自在の固定手段で係合して形成されているので、リサイクル時には、第１ハウジング２０と第２ハウジング３０との係合を解除するだけで、第１ハウジング２０及び第２ハウジング３０のそれぞれと、濾材１とを容易に分離させることができる。
【００２５】
図１〜図３に示す第１の実施の形態にかえて、図５に示すように、第１の実施の形態のエアクリーナ構造の構成品であるフィルタエレメント３の上側及び下側取付枠７、８のそれぞれに、上側及び下側挟持部７ａ、８ａと平行になるように補強板１０を一体に成形してもよい。
また、第２の実施の形態に係るエアクリーナの構成品である第１ハウジング及び第２ハウジングのそれぞれに、一体に成形された上側及び下側挟持部７ａ、８ａと平行になるように、図５に示す補強板１０を一体成形してもよい。ここで、配設される補強板の数量等については、補強の程度に応じて適宜決定されることになる。
【００２６】
【発明の効果】
以上説明したように、請求項１に記載した発明によれば、波板状の濾材の外周縁部を取り囲む濾材取付枠に、濾材を対向して挟持するように波状に形成された一対の濾材挟持部を形成したので、リサイクル時には、一対の濾材挟持部の係合を解除することで、濾材と濾材取付枠とを簡単に分離できる。また、濾材と濾材取付枠とを一体成形しないので、一体成形時に濾材が型により圧縮されて通気抵抗が上がるという従来の問題点が解消される。
【００２７】
請求項２に記載した発明によれば、濾材取付枠を一対の濾材挟持部の挟持面で２つに分割し、一方を第１ハウジングに一体的に形成すると共に、他方を第２ハウジングに一体的に形成して、第１ハウジングと第２ハウジングとを、それぞれに設けた一対の濾材挟持部により濾材を挟持するように係合するので、リサイクル時には、第１ハウジングと第２ハウジングとの係合を解除するだけで、濾材を第１ハウジング及び第２ハウジングから容易に分離できる。また、部品点数が削減され構造が簡素化されているため、金型費等も低減され、トータルコストが低減すると共に、フィルタエレメントの交換時には、煩雑であった濾材と濾材取付枠との分離作業の必要がなく濾材の交換だけで済み、交換費用も低減される。
【図面の簡単な説明】
【図１】図１は、本発明の第１の実施の形態に係るエアクリーナ構造を示す断面図である。
【図２】図２は、本発明の第１の実施の形態に係るエアクリーナ構造の構成部品であるフィルタエレメントの斜視図である。
【図３】図３は、本発明の第１の実施の形態に係るエアクリーナ構造の構成部品である濾材を上側及び下側挟持部により挟持される部分分解図である。
【図４】図４は、本発明の第２の実施の形態に係るエアクリーナ構造を示す断面図である。
【図５】図５は、本発明の第１の実施の形態に係るエアクリーナ構造の構成部品であるフィルタエレメントの図２に示すものとは、別の形態を示す斜視図である。
【図６】図６は、従来のエアクリーナ構造を示す断面図である。
【図７】図７は、従来のエアクリーナ構造の構成品であるフィルタエレメントを示す斜視図である。
【符号の説明】
１          濾材
２          濾材取付枠
３          フィルタエレメント
４、２０    第１ハウジング
５、３０    第２ハウジング
６          ハウジング
７          上側取付枠
７ａ        上側挟持部（濾材挟持部）
８          下側取付枠
８ａ        下側挟持部（濾材挟持部）
９          ハウジング取付部
【図１】
2004255306.tif 000003
【図２】
2004255306.tif 000004
【図３】
2004255306.tif 000005
【図４】
2004255306.tif 000006
【図５】
2004255306.tif 000007
【図６】
2004255306.tif 000008
【図７】
2004255306.tif 000009